(57)【要約】【課題】使用される入力点数を抑えて、異常を検出することができるスイッチ入力装置を提供する。【解決手段】走査制御手段１２は、走査ラインＣＯＭ0〜ＣＯＭ7を所定順序で一つずつ選択して、選択した走査ラインに選択期間の間、走査電圧を出力すると共に、いずれの走査ラインにも走査電圧を出力しない走査オフ期間を設けて走査処理を行う。異常検知手段１４は、走査ラインＣＯＭ0に走査電圧が出力されているときに入力ポートP30への入力がLowとなったとき、及び、走査オフ期間において入力ポートP30への入力がHighとなったときに、スイッチ入力装置が異常状態であると検知する。【選択図】  図１
2011038833.tif 000002
【特許請求の範囲】
【請求項１】
第１端子及び第２端子と、該第１端子と該第２端子間を導通状態と遮断状態とに切り換える接点とを有する複数のスイッチと、
前記複数のスイッチの第１端子と個別に接続された前記複数のスイッチの個数分のスイッチ走査ラインと、
前記スイッチ走査ラインを所定順序で一つずつ選択して、選択したスイッチ走査ラインに、所定の走査電圧を所定時間出力する走査処理を実行する走査手段と、
前記複数のスイッチの各第２端子と接続されたスイッチ入力ラインと、
前記スイッチ入力ラインに、前記走査電圧に応じた電圧が出力されているか否かを検出するスイッチ入力回路と、
前記複数の各スイッチについて、第１端子に接続された前記スイッチ走査ラインに前記走査電圧が出力されているときに、前記スイッチ入力回路により前記スイッチ入力ラインに前記走査電圧に応じた電圧が出力されていることが検出されたときは、接点が導通状態であると検知し、前記スイッチ入力回路により前記スイッチ入力ラインに前記走査電圧に応じた電圧が出力されていることが検出されなかったときには、接点が遮断状態にあると検知するスイッチ状態検知手段とを備えたスイッチ入力装置において、
前記スイッチ入力ラインと接続された異常検知走査ラインを備え、
前記走査手段は、前記複数のスイッチの個数分の前記スイッチ走査ライン及び前記異常検知走査ラインからなる複数の走査ラインに対して、該走査ラインを所定順序で一つずつ選択して、選択した走査ラインに前記走査電圧を前記所定時間出力すると共に、いずれの走査ラインにも前記走査電圧を出力しない走査オフ期間を設けて前記走査処理を行い、
前記異常検知走査ラインに前記走査電圧が出力されているときに、前記スイッチ入力回路により、前記スイッチ入力ラインに前記走査電圧に応じた電圧が出力されていないことが検出されたとき、又は、前記走査オフ期間において、前記スイッチ入力回路により、前記スイッチ入力ラインに前記走査電圧に応じた電圧が出力されていることが検出されたときに、前記装置が異常状態であると検知する異常検知手段を備えたことを特徴とするスイッチ入力装置。
【請求項２】
請求項１記載のスイッチ入力装置において、
第１端子及び第２端子を有して、該第１端子と該第２端子間に所定電圧が印加されたときに点灯状態となり、第１端子が前記複数の走査ラインのいずれかに接続された複数の点灯素子と、
前記複数の点灯素子の第２端子と接続されたデータラインと、
前記複数の各点灯素子に対して、第１端子に接続された前記走査ラインに前記走査電圧が出力されているときに、第２端子に接続された前記データラインに、第１端子と第２端子間に前記所定電圧を生じさせる駆動電圧を出力するか否かによって、点灯状態と消灯状態とを切り換える点灯駆動手段とを備え、
前記走査手段は、前記走査オフ期間を前記所定時間よりも短くして、前記走査処理を実行することを特徴とするスイッチ入力装置。
【発明の詳細な説明】
【技術分野】
【０００１】
本発明は、複数のスイッチの操作状況を省配線回路を用いて検知するスイッチ入力装置に関する。
【背景技術】
【０００２】
従来より、複数のスイッチとＬＥＤを備えたリモコン等において、各スイッチ及びＬＥＤとマイクロコンピュータ間の接続を、複数の走査ラインによりマトリクス状に接続した省配線回路を用いて行い、複数のスイッチの開閉状態の検知とＬＥＤの点灯／消灯の制御を、複数の走査ラインへの走査電圧の出力を切り換えて時分割で行うようにしたものが知られている。
【０００３】
そして、省配線回路の異常を検出するため、各スイッチに直列に接続されたダイオード（他のスイッチからの電流の回り込みを防ぐためのダイオード）の異常を検出する回路と、スイッチの閉成に応じてＯＮするリレーの異常を検出する回路とを備えた構成が提案されている（例えば、特許文献１参照）。
【先行技術文献】
【特許文献】
【０００４】
【特許文献１】特開平７−２７０４７０号公報
【発明の概要】
【発明が解決しようとする課題】
【０００５】
上記特許文献１に記載された構成では、異常を検出する回路の出力をマイクロコンピュータに入力して異常を検知するために、マイクロコンピュータで使用される入力点数が多くなるという不都合がある。
【０００６】
そこで、本発明は、使用される入力点数を抑えて、異常を検出することができるスイッチ入力装置を提供することを目的とする。
【課題を解決するための手段】
【０００７】
本発明は上記目的を達成するためになされたものであり、第１端子及び第２端子と、該第１端子と該第２端子間を導通状態と遮断状態とに切り換える接点とを有する複数のスイッチと、前記複数のスイッチの第１端子と個別に接続された前記複数のスイッチの個数分のスイッチ走査ラインと、前記スイッチ走査ラインを所定順序で一つずつ選択して、選択したスイッチ走査ラインに、所定の走査電圧を所定時間出力する走査処理を実行する走査手段と、前記複数のスイッチの各第２端子と接続されたスイッチ入力ラインと、前記スイッチ入力ラインに、前記走査電圧に応じた電圧が出力されているか否かを検出するスイッチ入力回路と、前記複数の各スイッチについて、第１端子に接続された前記スイッチ走査ラインに前記走査電圧が出力されているときに、前記スイッチ入力回路により前記スイッチ入力ラインに前記走査電圧に応じた電圧が出力されていることが検出されたときは、接点が導通状態であると検知し、前記スイッチ入力回路により前記スイッチ入力ラインに前記走査電圧に応じた電圧が出力されていることが検出されなかったときには、接点が遮断状態にあると検知するスイッチ状態検知手段とを備えたスイッチ入力装置に関する。
【０００８】
そして、前記スイッチ入力ラインと接続された異常検知走査ラインを備え、前記走査手段は、前記複数のスイッチの個数分の前記スイッチ走査ライン及び前記異常検知走査ラインからなる複数の走査ラインに対して、該走査ラインを所定順序で一つずつ選択して、選択した走査ラインに前記走査電圧を前記所定時間出力すると共に、いずれの走査ラインにも前記走査電圧を出力しない走査オフ期間を設けて前記走査処理を行い、前記異常検知走査ラインに前記走査電圧が出力されているときに、前記スイッチ入力回路により、前記スイッチ入力ラインに前記走査電圧に応じた電圧が出力されていないことが検出されたとき、及び、前記走査オフ期間において、前記スイッチ入力回路により、前記スイッチ入力ラインに前記走査電圧に応じた電圧が出力されていることが検出されたときに、前記装置が異常状態であると検知する異常検知手段を備えたことを特徴とする。
【０００９】
かかる本発明によれば、前記走査処理により前記異常検知ラインに前記走査電圧が出力されているときに、前記走査手段と前記スイッチ走査ラインと前記スイッチ入力ラインと前記スイッチ入力回路とが全て正常であれば、前記スイッチ入力ラインに前記走査電圧に応じた電圧が出力されて、この電圧の出力が前記スイッチ入力回路で検出される。そのため、前記異常検知手段は、前記走査処理により前記異常検知ラインに前記走査電圧が出力されているときに、前記スイッチ入力回路により、前記スイッチ入力ラインに前記走査電圧に応じた電圧が出力されていることが検出されなかったときには、前記装置が異常状態であると検知することができる。
【００１０】
また、前記走査処理により前記走査オフ期間とされているときに、前記走査手段と前記スイッチ走査ラインと前記スイッチ入力ラインと前記スイッチ入力回路とが全て正常に動作していれば、前記スイッチ入力ラインには前記走査電圧が出力されないため、前記スイッチ入力回路により前記走査電圧に応じた電圧は検出されない。そのため、前記異常検知手段は、前記走査処理により前記オフ期間とされているときに、前記スイッチ入力回路により前記走査電圧に応じた電圧が検出されたときには、前記装置が異常状態であると検知することができる。
【００１１】
そして、このように、前記装置の異常を検出するために必要となる入力は、前記スイッチ入力回路の検出出力を入力するためのもののみであり、この入力は、前記スイッチ状態検知手段と前記異常検知手段とで共用される。そのため、本発明によれば、使用される入力点数の増加を抑制して、前記装置の異常を検知することができる。
【００１２】
また、第１端子及び第２端子を有して、該第１端子と該第２端子間に所定電圧が印加されたときに点灯状態となり、第１端子が前記複数の走査ラインのいずれかに接続された複数の点灯素子と、前記複数の点灯素子の第２端子と接続されたデータラインと、前記複数の各点灯素子に対して、第１端子に接続された前記走査ラインに前記走査電圧が出力されているときに、第２端子に接続された前記データラインに、第１端子と第２端子間に前記所定電圧を生じさせる駆動電圧を出力するか否かによって、点灯状態と消灯状態とを切り換える点灯駆動手段とを備え、前記走査手段は、前記走査オフ期間を前記所定時間よりも短くして、前記走査処理を実行することを特徴とする。
【００１３】
かかる本発明によれば、前記走査手段により、前記走査オフ期間を前記所定時間よりも短くして、前記走査処理を実行することによって、時分割駆動される前記点灯素子の点灯間隔を短くすることができる。そのため、前記点灯素子を点灯させるときのちらつきを抑制して、前記走査オフ期間を設定することができる。
【図面の簡単な説明】
【００１４】
【図１】本発明のスイッチ入力装置の構成図。
【図２】スイッチの状態検知のタイミングを示した説明図。
【図３】ＬＥＤの点灯／消灯制御のタイミングを示した説明図。
【発明を実施するための形態】
【００１５】
本発明の実施の形態について、図１〜図３を参照して説明する。本実施形態のスイッチ入力装置は、例えば、ガスファンヒータの操作部に使用されるものであり、複数のスイッチの入力処理と複数のＬＥＤの点灯／消灯の処理を行う。
【００１６】
図１を参照して、スイッチ入力装置は、制御基板１、及び制御基板１と接続された操作基板２から構成されている。制御基板１は、マイクロコンピュータ１０（以下、マイコン１０という）、マイコン１０の出力ポートＰ10〜Ｐ13とデータラインSEG1〜SEG4との間に抵抗１１０〜１１３を介して接続された駆動素子２０〜２３、マイコン１０の出力ポートＰ20〜Ｐ27と走査ラインＣＯＭ0〜ＣＯＭ7との間に接続された駆動素子３０〜３７、及び、マイコン１０の入力ポートＰ30とスイッチ入力ラインＳＷinとの間に接続されたスイッチ入力回路４を備えている。
【００１７】
操作基板２は、データラインＳＥＧ1〜ＳＥＧ4と走査ラインＣＯＭ0〜ＣＯＭ7との間に、アノードをデータラインＳＥＧ1〜ＳＥＧ4側として接続された３２個のＬＥＤ６０〜６７，７０〜７７，８０〜８７，９０〜９７、走査ラインＣＯＭ0とスイッチ入力ラインＳＷinとの間に、アノードをスイッチ入力ラインＳＷin側として接続されたダイオード１０７、走査ラインＣＯＭ1〜ＣＯＭ6との間にダイオード１００〜１０５を介して接続された第１スイッチ５０〜第６スイッチ５５、及び走査ラインＣＯＭ7と第２スイッチ５１の第１端子Ｃ1との間に、アノードを第２スイッチ５１側にして接続されたダイオード１０６を備えている。
【００１８】
第１スイッチ５０の第１端子Ｃ1は、ダイオード１００を介して走査ラインＣＯＭ1に接続されている。第２スイッチ５１の第１端子Ｃ1は、ダイオード１０１を介して走査ラインＣＯＭ2に接続されている。第３スイッチ５２の第１端子Ｃ1は、ダイオード１０２を介して走査ラインＣＯＭ3に接続されている。第４スイッチ５３の第１端子Ｃ1は、ダイオード１０３を介して走査ラインＣＯＭ4に接続されている。第５スイッチ５４の第１端子Ｃ1は、ダイオード１０４を介して走査ラインＣＯＭ5に接続されている。第６スイッチ５５の第１端子Ｃ1は、ダイオード１０５を介して走査ラインＣＯＭ6に接続されている。
【００１９】
また、第１スイッチ５０〜第６スイッチ５５の第２端子Ｃ2は、いずれもスイッチ入力ラインＳＷinに接続されている。
【００２０】
なお、走査ラインＣＯＭ1〜ＣＯＭ6は本発明のスイッチ走査ラインに相当し、走査ラインＣＯＭ0は本発明の異常検知走査ラインに相当する。
【００２１】
マイコン１０は、予めメモリ（図示しない）に書き込まれたスイッチ入力装置の制御用プログラムを実行することによって、点灯制御手段１１、走査制御手段１２、スイッチ状態検知手段１３、及び異常検知手段１４として機能する。
【００２２】
なお、走査制御手段１２と駆動素子３０〜３７とにより、本発明の走査手段が構成されている。また、点灯制御手段１１と駆動素子２０〜２３とにより、本発明の点灯駆動手段が構成されている。
【００２３】
ここで、図２は、走査制御手段１２による走査ラインＣＯＭ0〜ＣＯＭ7への走査電圧（０Ｖ）の切り換えと、全ての走査ラインＣＯＭ0〜ＣＯＭ7への走査電圧（０Ｖ）の出力を停止する全オフ期間の設定のタイミングを、Ｔ0〜Ｔ8により示したものである。また、スイッチ状態検知手段１３による第１スイッチ５０〜第６スイッチ５５の状態検知のタイミングを示したものである。
【００２４】
図２を参照して、走査制御手段１２は、Ｔ0〜Ｔ7で走査電圧（０Ｖ）を出力する走査ラインＣＯＭ0〜ＣＯＭ7を順次選択して切り換え、Ｔ8を全オフ期間とする走査処理を、繰り返し実行する。
【００２５】
より具体的には、走査制御手段１２は、Ｔ0でマイコン１０の出力ポートＰ20の出力をHigh（５Ｖ）として、駆動素子３０を介して走査ラインＣＯＭ0に走査電圧（０Ｖ）を出力すると共に、出力ポートＰ21〜Ｐ27の出力をLow（０Ｖ）として、駆動素子３１〜３７を介して走査ラインＣＯＭ1〜ＣＯＭ7をハイインピーダンス状態とする。
【００２６】
同様にして、走査制御手段１２は、Ｔ1〜Ｔ7で、走査ラインＣＯＭ1，ＣＯＭ2，…，ＣＯＭ7に、順次走査電圧（０Ｖ）を出力する。また、走査制御手段１２は、Ｔ8では、出力ポートＰ20〜Ｐ27の出力を全てLow（０Ｖ）として、駆動素子３０〜３７を介して全ての走査ラインＣＯＭ0〜ＣＯＭ７をハイインピーダンス状態とする。
【００２７】
また、スイッチ状態検知手段１３は、Ｔ1における入力ポートＰ30への入力がHigh（５Ｖ）であるかLow（０Ｖ）であるかを判断することによって、第１スイッチ５０の接点が導通状態（以下、スイッチが閉状態であるという）であるか遮断状態（以下、スイッチが開状態であるという）であるかを検知する。
【００２８】
ここで、スイッチ入力回路４は、抵抗４１〜４４及びコンデンサ４０からなるフィルタ回路と、オペアンプ４８と抵抗４５〜４７からなるヒステリシス付きの比較回路を有し、スイッチ入力ラインＳＷinが０Ｖ（本発明の走査電圧に応じた電圧に相当する）であるときはHigh（５Ｖ）出力となり、スイッチ入力ラインＳＷinがハイインピーダンス状態であるときにはLow（０Ｖ）出力となる構成となっている。
【００２９】
そして、Ｔ1で走査ラインＣＯＭ1に走査電圧（０Ｖ）が出力されているときは、第１スイッチ５０が閉状態であればスイッチ入力ラインＳＷinが０Ｖとなって、スイッチ入力回路４からマイコン１０の入力ポートＰ30への出力がHigh（５Ｖ）となる。また、第１スイッチ５０が開状態であればスイッチ入力ラインＳＷinがハイインピーダンス状態となって、スイッチ入力回路４からマイコン１０の入力ポートＰ30への出力がLow（０Ｖ）となる。
【００３０】
そのため、スイッチ状態検知手段１３は、Ｔ1で入力ポートＰ30への入力がHighであるときは第１スイッチ５０が閉状態であると検知し、Ｔ1で入力ポートＰ30への入力がLowであるときには第１スイッチ５０が開状態であると検知する。
【００３１】
同様にして、スイッチ状態検知手段１３は、Ｔ2〜Ｔ6で入力ポートＰ30への入力がHighであるかLowであるかを判断して、第２スイッチ５１〜第６スイッチ５５が閉状態であるか開状態であるかを検知する。
【００３２】
また、第２スイッチ５１は、ガスファンヒータの運転と停止を指示するための運転スイッチに割り当てられている。そして、使用者が運転スイッチを操作してガスファンヒータの運転を開始した後、走査ラインＣＯＭ2と第２スイッチ５１の第１端子Ｃ1間の断線が生じると、Ｔ2で第２スイッチ５１が操作されたことを検知できなくなる。
【００３３】
そこで、操作基板２においては、図１に示したように、第２スイッチ５１の第１接点Ｃ1が、ダイオード１０６を介して走査ラインＣＯＭ7にも接続されている。そして、これにより、スイッチ状態検知手段１３は、Ｔ7においても第２スイッチ５１の開閉状態を検知している。
【００３４】
このように、第２スイッチ５１の第１接点Ｃ1に、走査ラインＣＯＭ2，ＣＯＭ7という２系統の経路を設けることによって、断線により運転スイッチ（第２スイッチ５１）による運転停止の操作が不能となる可能性を低下させることができる。
【００３５】
次に、異常検知手段１４は、図２に示したＴ0，Ｔ2，Ｔ7，Ｔ8において、マイコン１０の入力ポートＰ30への入力を確認することにより、以下の表１の判定条件に従ってスイッチ入力装置の異常を検知する。
【００３６】
【表１】
2011038833.tif 000003
【００３７】
先ず、図２のＴ0では、走査ラインＣＯＭ0に走査電圧（０Ｖ）が出力されており、図１に示したように、走査ラインＣＯＭ0はダイオード１０７を介してスイッチ入力ラインＳＷinと接続されている。そのため、スイッチ入力装置が正常に動作していれば、スイッチ入力回路４からマイコン１０の入力ポートＰ30への出力がHighとなる。
【００３８】
そこで、異常検知手段１４は、Ｔ0で入力ポートＰ30への入力（スイッチ入力）がLowであるときは、スイッチ入力装置が異常状態（常時オン入力異常）であると検知する。この場合は、操作基板２と制御基板１間のスイッチ入力ラインＳＷinの断線や、スイッチ入力回路４のオフ故障（出力が常時Ｌｏｗとなる故障）が生じている可能性がある。
【００３９】
また、図２のＴ8では、全ての走査ラインＣＯＭ0〜ＣＯＭ8への走査電圧（０Ｖ）の出力が停止しているため、スイッチ入力装置が正常に動作していれば、スイッチ入力ラインＳＷinはハイインピーダンス状態となって、スイッチ入力回路４からマイコン１０の入力ポートＰ30への出力がLowとなる。
【００４０】
そこで、異常検知手段１４は、Ｔ8で入力ポートＰ30への入力（スイッチ入力）がHighであるときは、スイッチ入力装置が異常状態（常時オフ入力異常）であると検知する。この場合は、スイッチ入力ラインＳＷinがＧＮＤのラインに短絡した短絡故障や、スイッチ入力回路４のオン故障（出力が常時Highとなる故障）が生じている可能性がある。
【００４１】
また、図２のＴ2とＴ8では、共に第２スイッチ５１（運転スイッチ）の第１端子Ｃ1に走査電圧（０Ｖ）が出力されているため、スイッチ入力装置が正常に動作しているときは、スイッチ入力回路４からマイコン１０の入力ポートＰ30への入力は、Ｔ2，Ｔ8で同一（共にHigh又は共にLow）となる。
【００４２】
そこで、異常検知手段１４は、Ｔ2とＴ8における入力ポートＰ30への入力が異なるときは、スイッチ入力装置が異常状態（運転スイッチ入力異常）であると検知する。この場合は、第２スイッチ５１の第１端子Ｃ1と走査ラインＣＯＭ2又は走査ラインＣＯＭ7間の断線が生じている可能性がある。
【００４３】
異常検知手段１４は、このようにしてスイッチ入力装置の異常（常時オン入力異常、常時オフ入力異常、運転スイッチ入力異常）を検知したときに、エラー表示（エラー表示用に割り当てられたＬＥＤを点灯）を行うと共に、ガスファンヒータのコントローラ（図示しない）に対して運転の強制終了を指示する。そして、これにより、スイッチの操作が不能な状態で、ガスファンヒータの運転が継続されることを防止している。
【００４４】
なお、運転スイッチ入力異常については、第２スイッチ５１の操作が可能な状態であるので、エラー表示のみを行って、ガスファンヒータの運転の強制終了を行わないようにしてもよい。
【００４５】
次に、点灯制御手段１１によるＬＥＤ６０〜６７，７０〜７７，８０〜８７，９０〜９７の点灯／消灯の制御について説明する。
【００４６】
点灯制御手段１１は、図３に示したように、Ｔ0〜Ｔ7で走査ラインＣＯＭ0〜ＣＯＭ7に走査電圧（０Ｖ）が出力されるタイミングで、マイコン１０の出力ポートＰ10〜Ｐ13の出力をHigh／Lowに切り換えるダイナミック駆動により、各ＬＥＤの点灯と消灯を制御する。
【００４７】
例えば、ＬＥＤ６１を点灯させると共に、ＬＥＤ７１，８１，９１を消灯させるときは、点灯制御手段１１は、Ｔ1でマイコン１０の出力ポートＰ10〜Ｐ13の出力を、（Ｐ10，Ｐ11，Ｐ12，Ｐ13）＝（Low，High，High，High）とする。これにより、駆動素子２０を介してデータラインＳＥＧ1に駆動電圧（５Ｖ）が出力され、ＬＥＤ６１が点灯状態となる。一方、データラインＳＥＧ2〜ＳＥＧ4は、駆動素子２１〜２３によりハイインピーダンス状態とされるため、ＬＥＤ７１，８１，９１は消灯状態となる。
【００４８】
また、Ｔ8では、走査ラインＣＯＭ0〜ＣＯＭ7のいずれにも走査電圧（０Ｖ）が出力されない（全オフ状態）ため、全てのＬＥＤ６０〜６７，７０〜７７，８０〜８７，９０〜９７が消灯した全消灯状態となる。
【００４９】
そして、図３に示したように、Ｔ8でこのように全消灯状態となる時間（1.0msec，本発明の走査オフ期間に相当する）は、Ｔ0〜Ｔ7における各ＬＥＤの点灯時間（1.5msec，本発明の所定時間に相当する）よりも短い時間に設定され、これにより、各ＬＥＤの点灯間隔が長くなることによるちらつきを抑制している。
【００５０】
また、Ｔ0〜Ｔ8の総処理時間が一定であるときには、Ｔ0〜Ｔ8を同一時間に設定する場合よりも、Ｔ8をＴ0〜Ｔ7よりも短い時間としてＴ0〜Ｔ7を同一時間にする方が、各ＬＥＤの輝度を所定レベル以上とするために必要となるＴ0〜Ｔ7での各ＬＥＤへの供給電流が少なくなる。そのため、各ＬＥＤの定格電流に対する供給電流の余裕度を大きくすることができる。
【００５１】
なお、本実施の形態では、図３に示したように、ＬＥＤを全消灯状態とする期間Ｔ8を、ＬＥＤを点灯状態とする期間（Ｔ0〜Ｔ7）よりも短い時間に設定したが、この設定を行わない場合であっても、本発明の効果を得ることができる。
【００５２】
また、本実施の形態では、複数のスイッチ５０〜５５と、複数のＬＥＤ６０〜６７，７０〜７７，８０〜８７，９０〜９７とを備えた構成を示したが、ＬＥＤを備えない構成に対しても本発明の適用が可能である。
【００５３】
また、本実施の形態では、本発明の点灯素子としてＬＥＤを示したが、蛍光表示管等の他の種類の点灯素子を用いてよい。
【００５４】
また、本実施の形態では、ガスファンヒータに備えられたスイッチ入力装置を示したが、本発明の適用対象はこれに限られず、複数のスイッチの開閉状態を１本のスイッチ入力ラインへの入力電圧に基づいて検知する構成であれば、本発明を適用してその効果を得ることができる。
【符号の説明】
【００５５】
１…制御基板、２…操作基板、４…スイッチ入力回路、１０…マイクロコンピュータ（マイコン）、１１…点灯制御手段、１２…走査手段、１３…スイッチ状態検知手段、１４…異常検知手段、５０〜５５…スイッチ、６０〜６７，７０〜７７，８０〜８７，９０〜９７…ＬＥＤ。
【図１】
2011038833.tif 000004
【図３】
2011038833.tif 000005
【図２】
2011038833.tif 000006